(57)【要約】【課題】  浄化槽とマンホールを連結させるための嵩上げにおいて、長さ、角度が異なるいろんな現場にすばやく対応できること、コンパクトな梱包で現場まで輸送できることなどに課題がある。【解決手段】  長さ、角度の調整・保持ができる蛇腹式構造の円筒とその下部に長さを微調整するための容易に切断できる等間隔の溝を有した下部円筒とを一体成形した蛇腹式嵩上げを用いることで達成できる。さらに、蛇腹式嵩上げの上部と下部に既存の接続枠をねじで連結することにより、マンホールと浄化槽とを連結できる。【選択図】図１
2015213895.tif 000002
【特許請求の範囲】
【請求項１】
浄化槽とマンホールを連結するための嵩上げにおいて、コンパクトに折り畳め所定の長さと角度に保持できる蛇腹式円筒と、等間隔に切断できる複数の溝の入った内面がなめらかな円筒からなる蛇腹式嵩上げ。
【請求項２】
上記蛇腹式円筒の外径／内径比が１．０５〜１．２０で、山間隔が４０〜７０ｍｍの請求項１記載の蛇腹式嵩上げ。
【請求項３】
上記複数の溝の入った内面がなめらかな円筒が、溝間隔が３〜８ｍｍ、溝深さ０．５〜２．０ｍｍ、長さ２０〜７０ｍｍの範囲で一定の間隔、一定の深さの溝を有し、内径が上記蛇腹式円筒の内径よりも大きく外径よりも小さい請求項１記載の蛇腹式嵩上げ。
【発明の詳細な説明】
【技術分野】
【０００１】  本発明は、浄化槽のマンホールの嵩上げに関するものである。
【背景技術】
【０００２】  家庭や工場からの廃水を処理するために浄化槽が用いられている。浄化槽は地中に埋められ、地表面に点検、清掃のためのマンホールがあり、マンホールと浄化槽を連結するために嵩上げが用いられる。
【先行技術文献】
【０００３】  浄化槽の点検口部とマンホール間は距離、角度がどこでも同じでなく、浄化槽の埋め込み深さにより距離が違ったり、地表面や浄化槽が傾いていたりすると角度が違っていたりする。従来は内外面がなめらかな寸法一定の円筒を切断したり、内径が異なる螺旋状溝を有する２つの円筒を組み合わせて回転させて高さ調整する嵩上げ（特許文献１）、内径が異なる螺旋状溝を有する２つの円筒を組み合わせた上部円筒と水平切断案内溝を複数設けた下部円筒を一体成形して高さ調整できる嵩上げ（特許文献２）、内径が異なる螺旋状溝を有する２つの円筒を組み合わせて回転させて高さ調整しさらに内径が異なる球状容器を組み合わせて角度調整する嵩上げ（特許文献３）がある。また、蛇腹式嵩上げで伸長時の山の高さが異なる複数の蛇腹を備えて折り畳んで高さと角度を調整する嵩上げ（特許文献４）がある。
【特許文献】
【０００４】
【特許文献１】特開平１０−２５８８９５
【特許文献２】特開平７−３２８５９９
【特許文献３】特開２００１−２７１３６８
【特許文献４】特開２００７−３０９２３
【発明の概要】
【発明が解決しようとする課題】
【０００５】  寸法一定の嵩上げを現場で切断することによる浄化槽の点検口部とマンホール間の距離・角度合わせは困難な作業である。また、長い寸法の嵩上げを現場まで輸送することは輸送効率が悪い。浄化槽とマンホール間の距離・角度が異なるいろんな現場で、すばやく対応できることが課題である。また、山の高さが異なる複数の蛇腹を備えて折り畳んで高さと角度を調整する嵩上げは製造が困難であるばかりか高さの微調整ができない問題がある。
【課題を解決するための手段】
【０００６】  いろんな現場にすばやく対応できるためには、高さと角度の調整がすばやくでき、調整状態を保持でき、マンホールと浄化槽にすばやく連結できることである。そのためには長さと角度を調整できる蛇腹構造部と、長さを微調整できる切断用の溝を複数有した円筒部（下部円筒）を連続的に一体成形で製造することである。それは、蛇腹構造部と切断用の溝を有する円筒部（下部円筒）を１０ＭＰａ以上の高圧空気で一体的にブロー成形することにより可能となる。【０００７】  いろんな現場に対応できるように、山間隔が４０〜７０ｍｍの蛇腹の山を複数有する全長２００〜５００ｍｍの蛇腹構造部と、溝の間隔３〜８ｍｍ、溝の深さ０．５〜２ｍｍ、溝の数３〜１０本の切断用の溝を有する円筒部（下部円筒）と一体成形することで、よりきめ細かい対応がスピーディに行える。また、浄化槽は容量により、マンホール径が直径４５０ｍｍ、直径５００ｍｍ、直径６００ｍｍの３種類あるので、蛇腹式嵩上げの径もそれに対応できるように３種類とする。【０００８】  輸送効率を良くするには、コンパクトに収納できることであり、嵩上げの蛇腹の外径／内径比を１．０５〜１．２０とし、さらに蛇腹の山を少し外に膨らませ、谷の肉厚１．０〜２．０ｍｍよりも少し薄くすることによって引き伸ばした時の１／３〜１／５の長さに折り畳め、その状態を保持できることで可能となる。
【発明の効果】
【０００９】  長さ、角度が調整でき、折り畳める一体成形の蛇腹式嵩上げを用いることで、傾いた地表面、浄化槽とマンホールとの距離が異なるいろんな現場にすばやく対応できる。また、折り畳んで輸送できることで嵩上げの輸送効率が良くなる。
【図面の簡単な説明】
【００１０】
【図１】蛇腹式嵩上げを伸ばした状態と折り畳んだ状態を示した正面図
【図２】水平な地表面に、マンホール、マンホール枠、蛇腹式嵩上げ、浄化槽枠および浄化槽を連結して設置した正面図
【図３】傾斜した地表面に、マンホール、マンホール枠、蛇腹式嵩上げ、浄化槽枠および浄化槽を連結して設置した正面図
【図４】蛇腹式嵩上げの下部円筒の詳細な正面図
【図５】蛇腹式嵩上げの蛇腹構造部の詳細な断面図
【発明を実施するための形態】
【００１１】  浄化槽とマンホールをスピーディに連結するために、長さと角度を大まかに調整できる蛇腹構造部と、長さを微調整できる切断用の溝を複数有した円筒部（下部円筒）を一体成形した蛇腹式嵩上げを用いることで達成できる。さらに、蛇腹式嵩上げの上部と下部に既存の枠をねじで連結することにより、マンホールと浄化槽とを連結することができる。
【実施例】
【００１２】  本発明の実施例を図を用いて説明する。図１は蛇腹式嵩上げを伸ばした状態と折り畳んだ状態を示した正面図で、蛇腹式嵩上げ１は、マンホール枠２と接続のための上部円筒部分１ａ、蛇腹構造部１ｂ、および切断用の溝を複数有した下部円筒部分１ｃからなる。下部円筒部分１ｃは、浄化槽枠３の接続部分にもなる。図１に示すように、マンホール径が直径６００ｍｍに対応し、伸ばした長さが３００ｍｍの蛇腹式嵩上げ１は、折り畳むと長さが１００ｍｍとなり、その状態を保持できる。【００１３】  図２は水平な地表面に、マンホール、マンホール枠、蛇腹式嵩上げ、浄化槽枠および浄化槽を連結して設置した正面図で、蛇腹式嵩上げ１とその上部にマンホール枠２をねじで固定後、浄化槽４にねじで固定した浄化槽枠３に載せてねじで固定して連結している。図２に示すように、マンホール径が直径６００ｍｍの浄化槽４と水平な地表面との間隔が２０５ｍｍの場合において、伸ばした長さが３００ｍｍの蛇腹式嵩上げ１を少し縮め、さらに下部円筒１ｃの一部を切断溝に沿って切断することで、マンホールと浄化槽とをスピーディに連結することができる。【００１４】  図３は傾斜した地表面に、マンホール、マンホール枠、蛇腹式嵩上げ、浄化槽枠および浄化槽を連結して設置した正面図で、傾斜した地表面に蛇腹式嵩上げ１とその上部にマンホール枠２をねじで固定後、浄化槽４にねじで固定した浄化槽枠３に載せてねじで固定して連結している。図３に示すように、マンホール径が直径６００ｍｍの浄化槽４と２度傾斜した地表面との間隔が２６５ｍｍ（間隔が大きい方）の場合において、伸ばした長さが３００ｍｍの蛇腹式嵩上げ１の下部円筒１ｃの一部を切断溝に沿って切断し、蛇腹式構造部１ｂを２度傾斜させ、少し縮めることで、マンホール５と浄化槽４とをスピーディに連結することができる。【００１５】  図４は蛇腹式嵩上げの下部円筒の詳細正面図で、下部円筒１ｃには長さを微調整できる切断用の溝があり、溝の間隔は５ｍｍ、溝の深さは１ｍｍ、溝の数が６本の場合を示す。より微調整するには溝間隔が短い方が良いが、強度面などでの問題があるので、３〜８ｍｍが好ましい。溝の深さは浅い方が強度面などには良いが、切断しにくくなるので、０．５〜２ｍｍが好ましい。また、下部円筒１ｃの外径は浄化槽接続枠３に合うサイズで外径６４０ｍｍとする。また、蛇腹構造部１ｂと下部円筒１ｃの肉厚は共に１．０ｍｍである。【００１６】  蛇腹式嵩上げ１の、マンホール接続枠２と接続のための上部円筒部分１ａの直径はマンホール接続枠２のサイズと合う外径６４９ｍｍとする。この外径を蛇腹式構造部１ｂの外径よりも小さく、内径よりも大きくすることで、振動などによる影響を小さくできる。また、上部円筒部分の長さは、マンホール接続枠２とねじで連結できる十分な長さ２０ｍｍとしている。【００１７】  図５は、蛇腹式嵩上げの蛇腹の詳細な断面図で、蛇腹の山の外径は６７０ｍｍ、谷の内径は６１０ｍｍで、蛇腹の谷間の寸法（山間の寸法と同じ）は５１．６ｍｍである。また、蛇腹を伸ばした状態で蛇腹の山を外側に上１．０ｍｍと下２．０ｍｍ膨らませている。下部円筒１ｃの外径は蛇腹構造部１ｂの外径と内径の平均値６４０ｍｍとしている。【００１８】  上記のように、長さと角度を調整できる蛇腹構造部１ｂを上側にし、長さを微調整できる切断用の溝を複数有した円筒部１ｃを下側にして連続的に一体成形してもよく、上下を逆にして、長さと角度を調整できる蛇腹構造部１ｂを下側にし、長さを微調整できる切断用の溝を複数有した円筒部１ｃを上側にして連続的に一体成形してもよい。【００１９】  蛇腹式嵩上げ１に使用する材料は、本実施例ではポリプロピレン樹脂またはポリエチレン樹脂を使用しているが、他の樹脂や金属、紙、布でもよい。
【産業上の利用可能性】
【００２０】  本発明の蛇腹式嵩上げは、長さと角度が調整・保持できることで、いろんな現場にスピーディに対応でき、折り畳んで輸送でき、年に数十万個設置されている浄化槽の設置工事に役立つものである。
【符号の説明】
【００２１】１  蛇腹式嵩上げ
１ａ  蛇腹式嵩上げの上部円筒
１ｂ  蛇腹式嵩上げの蛇腹構造部
１ｃ  蛇腹式嵩上げの下部円筒
２  マンホール接続枠
３  浄化槽接続枠
４  浄化槽
５  マンホール
【図１】
2015213895.tif 000003
【図２】
2015213895.tif 000004
【図３】
2015213895.tif 000005
【図４】
2015213895.tif 000006
【図５】
2015213895.tif 000007